(57)【特許請求の範囲】
【請求項１】
エレベータの制御装置と接続され、前記制御装置から送信される各種制御信号に基づいて当該エレベータの運転を監視する監視装置と、
前記監視装置と前記制御装置との接続を切り離す切離スイッチと、
エレベータの点検作業に従事する作業員が携帯する携帯通信端末と、
前記監視装置および前記携帯通信端末と通信回線を介して接続されるネットワーク通信用のサーバー装置を有し、前記監視装置から送信される情報に基づいて各所のエレベータの運転状況を監視する監視センターと、を備え、
前記監視装置は、点検作業後に前記切離スイッチによる切り離しが解除され前記監視装置と前記制御装置との接続が復帰したことを検知し、復帰確認信号を送信する機能を有し、
前記サーバー装置は、前記監視装置から送信された復帰確認信号を受信した場合に、当該点検作業を実施した作業者の携帯通信端末に接続が復帰したことを報知する情報を送信することを特徴とするエレベータの遠隔監視システム。
【請求項２】
前記サーバー装置は、所定時間経過後も前記復帰確認信号を受信しなかった場合には、前記作業者の携帯通信端末に接続が未復帰であることを報知する情報を送信することを特徴とする請求項１に記載のエレベータの遠隔監視システム。
【発明の詳細な説明】
【技術分野】
【０００１】
本発明の実施形態は、エレベータの遠隔監視システムに関する。
【背景技術】
【０００２】
近年のエレベータでは、運転状況を遠隔監視するシステムが構築されており、この遠隔監視システムを利用して、各所に設置されている多数のエレベータを集中的に監視することができるとともに、エレベータの故障、不具合に迅速な対応をすることが可能になる。この種のエレベータ遠隔監視システムに関する従来技術としては、例えば、特許文献１に開示されているものを挙げることができる。
【０００３】
ところで、エレベータの点検作業を実施するに際しては、点検対象となるエレベータを遠隔監視システムから切り離す必要がある。点検作業では、例えば、乗りかご内の操作ボックスにある、通常運転では使用されない各種スイッチを操作することがある。遠隔監視システムと繋がっていると、これらのスイッチの作動が検知されて、異常発生と誤認される可能性があるからである。
【０００４】
このため、遠隔監視下にあるエレベータの制御盤には、遠隔監視システムからの切り離しをするためのスイッチが設けられている。作業員は、エレベータの点検作業を開始する前に、この切離スイッチを入れて制御盤と遠隔監視システムとの接続の切り離しを行い、制御盤から遠隔監視システムに信号送信がなされないようにしている。
【０００５】
他方、エレベータの点検作業が終わったら、切り離しスイッチをオフにして、制御盤と遠隔監視システムとの接続状態を復帰させている。
【先行技術文献】
【特許文献】
【０００６】
【特許文献１】特開２０１４−４７０６４号公報
【発明の概要】
【発明が解決しようとする課題】
【０００７】
しかしながら、エレベータの点検作業が終わったあと、切離スイッチを元に戻し忘れ、制御盤からの信号送信が断絶したまま無監視状態になることが稀に発生していた。作業員が切離スイッチの復帰操作を忘れた場合、従来は、その作業員以外の第３者には遠隔監視システムの接続復帰が完了したかどうかを確認するすべがなかったからである。このため、エレベータの通常運転の復帰が遅れるなどの問題が発生していた。
【０００８】
本発明は、前記従来技術に係る問題点に鑑みなされたものであって、点検作業の終了後に、遠隔管理システムとの接続復帰を特別な手順を必要無しに確認できるようにしたエレベータの遠隔監視システムを提供することを目的としている。
【課題を解決するための手段】
【０００９】
前記の目的を達成するために、本発明の実施形態によるエレベータの遠隔監視システムは、エレベータの制御装置と接続され、前記制御装置から送信される各種制御信号に基づいて当該エレベータの運転を監視する監視装置と、前記監視装置と前記制御装置との接続を切り離す切離スイッチと、エレベータの点検作業に従事する作業員が携帯する携帯通信端末と、前記監視装置および前記携帯通信端末と通信回線を介して接続されるネットワーク通信用のサーバー装置を有し、前記監視装置から送信される情報に基づいて各所のエレベータの運転状況を監視する監視センターと、を備え、前記監視装置は、点検作業後に前記切離スイッチによる切り離しが解除され前記監視装置と前記制御装置との接続が復帰したことを検知し、復帰確認信号を送信する機能を有し、前記サーバー装置は、前記監視装置から送信された復帰確認信号を受信した場合に、当該点検作業を実施した作業者の携帯通信端末に接続が復帰したことを報知する情報を送信することを特徴とするものである。
【図面の簡単な説明】
【００１０】
【図１】本発明によるエレベータの遠隔監視システムの一実施形態を示す説明図である。
【図２】同遠隔監視システムの点検作業時の処理の流れを示すフローチャートである。
【発明を実施するための最良の形態】
【００１１】
以下、本発明によるエレベータの遠隔監視システムの一実施形態について、添付の図面を参照しながら説明する。  
図１は、本発明の一実施形態によるエレベータの遠隔監視システムの概要を示す。この図１において、参照番号１９はエレベータの昇降路を示し、参照番号２０は機械室を示している。
【００１２】
昇降路１９では、乗りかご８と釣り合いおもり１３が主ロープ１２によって吊られている。この主ロープ１２は、巻上機１０の綱車９と、そらせシーブ１１に巻き掛けられており、巻上機１０に駆動されることにより、乗りかご８と釣り合いおもり１３が昇降するようになっている。
【００１３】
機械室２０には、エレベータの運転を制御する制御盤２が設けられている。この制御盤２には、制御装置としてマイクロコンピュータ３が設けられている。乗りかご８に設けられている図示しない操作盤は、移動ケーブル７を介してマイクロコンピュータ３と接続されており、利用者が操作盤の釦を押すことで登録される行き先階登録などのデータはマイクロコンピュータ３に送信される。なお、参照番号４は、過負荷などにより異常な過電流が流れた場合に電源を遮断するブレーカーを示す。
【００１４】
この実施形態では、制御盤２のマイクロコンピュータ３には、光ケーブル６を介してエレベータの運転状況を監視する監視装置１が接続されている。また、エレベータの点検作業時などに、監視装置１と制御盤２との接続を切り離す切るための切離スイッチ５が制御盤２に設けられている。  
監視装置１は、エレベータの運転制御に関わっている様々な制御信号をマイクロコンピュータ３から受信し、これらの制御信号を分析してエレベータの運転が正常に行われているかどうかを監視する。  
この監視装置１は、電話回線１４を介して、管轄管理下にある各所のエレベータの運転状況を集中的に監視している監視センター２１のサーバー１５と接続されている。
【００１５】
監視センター２１に常駐している監視員は、監視卓１６を見ながら、リアルタイムで各所のエレベータの運転状況を把握することが可能である。また、エレベータに故障が発生し運転が停止したような場合には、監視装置１から監視センター２１に異常発生が報知される。監視員は、故障の発生したエレベータの保守を担当している部署にすぐさま連絡を入れることになる。
【００１６】
本実施形態による遠隔監視システムでは、エレベータの点検作業に従事する作業員は、点検作業に携帯電話１７を携行するようになっている。エレベータの点検作業時に、携帯電話回線１８を通じてこの携帯電話１７をサーバー１５とつなげると、携帯電話１７と監視装置１との間で、図２に示すような手順に従って、点検開始および終了時に必要な種々の処理を行うことができる。
【００１７】
そこで、図１および図２を参照しながら、エレベータの点検作業との関連において本実施形態の遠隔監視システムの作用および効果について説明する。  
まず、エレベータの点検作業を開始するにあたって（ステップＳ１０）、作業員２２は、携帯電話１７を操作して、エレベータの点検開始に必要な情報、例えば、点検対象のエレベータの号機を特定する情報、作業員のＩＤなどを監視装置１に登録する（ステップＳ１１）。これらの情報は、サーバー１５を介して監視装置１に送信され、これによりエレベータの点検を開始することが、監視装置１に登録される。これ以後、エレベータの運転モードは点検モードに切り替わる。
【００１８】
次いで、点検作業中は、監視監置１と制御盤２とが接続されている必要はないので、その接続を切り離すために、作業員２２が切離スイッチ５をオンに入れると（ステップＳ１２）、各種制御信号は制御盤２から監視装置１に送信されなくなる。なお、以下の説明では、切離スイッチ５をオンにすると監視装置１と制御盤２の接続が切り離され、切離スイッチ５をオフにすると、監視装置１と制御盤２とが接続する関係にあるものとする。
【００１９】
以後、エレベータの点検作業を行っている間は、遠隔監視システムの下では無監視の状態となるが、監視装置１には点検作業が行われていることが監視センター２１に報知されているから、監視センター２１で問題となることはない。その後、エレベータでは、所定の点検作業が行われる。
【００２０】
やがて、点検作業が終了すると（ステップＳ１３）、作業員２２は、監視装置１と制御盤２とが接続している状態に復帰させるため、切離スイッチ５をオフにする（ステップＳ１４のyes）。
【００２１】
切離スイッチ５がオフにされたことを検知した監視装置１は、復帰確認信号を監視センター２１のサーバー１５に発報する（ステップＳ１５）。その後、作業員２２は、携帯電話１７を通じて監視装置１に点検終了に必要なデータを送信し、点検終了の登録を行う（ステップＳ１６）。以後、エレベータは、通常運転モードでの運転に切り替わる。
【００２２】
以上のようにして、制御盤２と遠隔監視システムとの接続が元に復帰し、エレベータの運転は、遠隔監視システムの監視下に置かれる。
【００２３】
このとき、実際にエレベータでの点検作業に従事していた作業員の携帯電話１７には、次のようにして、点検の終わったエレベータの制御盤２と遠隔監視システムとの接続が復帰した旨を知らされる電子メールが送信される。
【００２４】
この実施形態では、点検作業の標準所要時間として、例えば９０分を見積もっており、ステップＳ１１で、点検開始を登録してから９０分を経過した場合であれば（ステップＳ１７のyes）、監視センター２１のサーバー１５が復帰確認信号を受信していると（ステップＳ１８のyes）、作業員２２の携帯電話１７には、制御盤２と監視装置１とが接続され遠隔監視システムの監視下に復帰した旨を知られるメールが送信される（ステップＳ２０）。このメールをみることによって、作業員２２は間違いなく接続が復帰したことを確認することができる。
【００２５】
一方、作業員２２がうっかりして、切離スイッチ５をオフするのを忘れてしまった場合には（ステップＳ１４のno）、監視センター２１のサーバー１５には、復帰確認信号が発報されないことになる。サーバー１５に復帰確認信号の受信がない場合には（ステップＳ１８のno）、点検作業が終了した頃合いに合わせて、すなわち、点検作業の標準所要時間９０分を経過した時に、作業員２２の携帯電話１７には、制御盤２と監視装置１とが接続されておらず、遠隔監視システムの管理下に復帰していないことを知らせるメールが送信される（ステップＳ１９）。作業員２２には、このメールにより、切離スイッチ５をオフにするのを忘れたことを知らされるので、切離スイッチ５を元通りにするのを忘れる確実に防止することができる。
【００２６】
なお、点検終了後に切離スイッチ５をオフに戻しておくのを忘れ、オンにしたままになっているのも関わらず、携帯電話１７で点検終了の登録をした場合であっても、監視センター２１のサーバー１５は復帰確認信号を受信していないので、作業員の携帯電話１７には、監視システムの管理下に復帰していないことを知られるメールが送信される。これによって、作業員は、切離スイッチ５を元通りにしていないことが分かるので、切離スイッチ５の復帰処理を忘れるのを確実に防止することができる。
【００２７】
以上のようにして、点検作業を終了した後、切離スイッチ５を元に戻している場合には遠隔管理システムとの接続が復帰したこと確認メールが作業者の携帯電話１７に自動的に送信され、うっかり切離スイッチ５を元に戻すのを忘れた場合には、接続が未復帰であることを知られるメールが作業者の携帯電話１７に自動的に送信される。これによって、エレベータの点検が終わり、通常運転になったときに遠隔管理システムの無監視のままになるのを特別な手順を踏むことなく確実に防止することができる。
【００２８】
以上、本発明に係るエレベータの遠隔監視システムについて、好適な実施形態を挙げて説明したが、これらの実施形態は、例示として挙げたもので、発明の範囲の制限を意図するものではない。もちろん、明細書に記載された新規な装置、方法およびシステムは、様々な形態で実施され得るものであり、さらに、本発明の主旨から逸脱しない範囲において、種々の省略、置換、変更が可能である。請求項およびそれらの均等物の範囲は、発明の主旨の範囲内で実施形態あるいはその改良物をカバーすることを意図している。
【符号の説明】
【００２９】
１…監視装置、２…制御盤、３…マイクロコンピュータ、４…ブレーカー、５…切離スイッチ、６…光ケーブル、７…移動ケーブル、８…乗りかご、９…綱車、１０…巻上機、１１…そらせシーブ、１２…主ロープ、１３…釣り合いおもり、１４…電話回線、１５…サーバー、１６…監視卓、１７…携帯電話、１８…携帯電話回線、１９…昇降路、２０…機械室、２１…サーバー
【要約】      （修正有）【課題】点検作業の終了後に、遠隔管理システムとの接続復帰を特別な手順を必要無しに確認できるようにする。【解決手段】エレベータの制御装置３と接続され、制御装置３から送信される各種制御信号に基づいて当該エレベータの運転を監視する監視装置１と、監視装置１と制御装置３との接続を切り離す切離スイッチ５と、点検作業に従事する作業員が携帯する携帯通信端末１７と、監視装置１および携帯通信端末１７と通信回線を介して接続されるネットワーク通信用のサーバー装置１５を有し監視装置１から送信される情報に基づいて各所のエレベータの運転状況を監視する監視センター２１と、を備える。サーバー装置１５は、切離スイッチ５による切り離しが解除され監視装置１と制御装置３との接続が復帰したことを検知した監視装置１から送信された復帰確認信号を受信した場合に、点検作業を実施した作業者の携帯通信端末１７に接続が復帰したことを報知する。【選択図】図１【図１】
0005897666.tif 000002
【図２】
0005897666.tif 000003